(57)【要約】【課題】ガス状の流体流れを発生させることを可能にする、改善された流れ発生デバイスを有する３次元物体を付加的に製造するための装置を提供すること。【解決手段】エネルギー・ビーム（４）によって硬化させることができる粉状の構築材料（３）の層を連続的に層ごとに選択的に照射及び硬化することによって、３次元物体（２）を付加的に製造するための装置（１）であって、装置（１）は、プロセス・チャンバ（８）及び流れ発生デバイス（９）を含み、流れ発生デバイス（９）は、プロセス・チャンバ（８）を通って少なくとも部分的に流れるガス状の流体流れを発生させるように構成されており、ガス状の流体流れは、プロセス・チャンバ（８）を通って流れる間に、硬化されていない粒子状の構築材料、特に、装置（１）の動作の間に発生するスモーク又はスモーク残留物で充満され得、流れ発生デバイス（９）は、少なくとも２つの別々の流れ発生ユニット（１３、１４）を含み、それぞれが、それぞれのガス状の流体流れを発生させるように構成されている。【選択図】図１
2019025896.tif 000002
【特許請求の範囲】
【請求項１】
エネルギー・ビーム（４）によって硬化させることができる粉状の構築材料（３）の層を連続的に層ごとに選択的に照射及び硬化することによって、３次元物体（２）を付加的に製造するための装置（１）であって、プロセス・チャンバ（８）及び流れ発生デバイス（９）を含み、前記流れ発生デバイス（９）は、前記プロセス・チャンバ（８）を通って少なくとも部分的に流れるガス状の流体流れを発生させるように構成されており、前記ガス状の流体流れは、前記プロセス・チャンバ（８）を通って流れる間に、硬化されていない粒子状の構築材料、特に、前記装置（１）の動作の間に発生するスモーク又はスモーク残留物で充満され得、前記流れ発生デバイス（９）は、少なくとも２つの別々の流れ発生ユニット（１３、１４）を含み、それぞれが、それぞれのガス状の流体流れを発生させるように構成されている、装置（１）。
【請求項２】
前記少なくとも２つの流れ発生ユニット（１３、１４）に関連付けられた制御ユニット（２４）を含み、前記制御ユニット（２４）は、それぞれの前記少なくとも２つの流れ発生ユニット（１３、１４）の動作を、互いに独立して又は互いに依存して制御するように構成されている、請求項１に記載の装置。
【請求項３】
前記制御ユニット（２４）は、同期させて前記少なくとも２つの流れ発生ユニット（１３、１４）の動作を制御するように構成されている、請求項１又は２に記載の装置。
【請求項４】
前記制御ユニット（２４）は、前記少なくとも２つの流れ発生ユニット（１３、１４）の動作を制御し、所定の流れ特性のガス状の流体流れを発生させるように構成されており、それによって、前記少なくとも２つの流れ発生ユニット（１３、１４）のそれぞれの動作は、前記少なくとも２つの流れ発生ユニット（１３、１４）が所定の流れ特性の前記ガス状の流体流れを発生させるように協働して作用するように制御される、請求項１〜３のいずれか一つに記載の装置。
【請求項５】
前記少なくとも２つの流れ発生ユニット（１３、１４）のそれぞれは、吸い込みポンピング・デバイスであり、又は、少なくとも１つの吸い込みポンピング・デバイスを含む、請求項１〜４のいずれか一つに記載の装置。
【請求項６】
前記少なくとも２つの流れ発生ユニット（１３、１４）は、並列に配設されている、請求項１〜５のいずれか一つに記載の装置。
【請求項７】
前記少なくとも２つの流れ発生ユニット（１３、１４）は、前記プロセス・チャンバ（８）から延在する流れ通路構造体（１７）の中に配設されている、請求項１〜６のいずれか一つに記載の装置。
【請求項８】
前記流れ通路構造体は、プロセス・チャンバ・ガス出口部（１２）と、硬化されていない粒子状の構築材料、特に、前記装置（１）の動作の間に発生するスモーク又はスモーク残留物を、前記ガス状の流体流れから濾過するように構成されているフィルタリング・デバイス（１８）と、プロセス・チャンバ・ガス入口部（１１）との間に延在している、請求項７に記載の装置。
【請求項９】
前記流れ通路構造体（１７）は、前記流れ通路構造体（１７）を少なくとも２つの流れ通路分岐部（２０、２１）に分岐させる分岐セクション（１９）を含み、それによって、第１の流れ発生ユニット（１３）は、第１の流れ通路分岐部（２０）の中に配設されており、第２の流れ発生ユニット（１４）は、第２の流れ通路分岐部（２１）の中に配設されている、請求項７又は８に記載の装置。
【請求項１０】
前記少なくとも２つの流れ発生ユニット（１３、１４）は、前記同じ出力パワーを有している、請求項１〜９のいずれか一つに記載の装置。
【請求項１１】
エネルギー・ビーム（４）によって硬化させることができる粉状の構築材料（３）の層を連続的に層ごとに選択的に照射及び硬化することによって、３次元物体（２）を付加的に製造するための、請求項１〜９のいずれか一つに記載の装置（１）に関する流れ発生デバイス（９）であって、少なくとも２つの別々の流れ発生ユニット（１３、１４）を含み、それぞれが、ガス状の流体流れを発生させるように構成されており、前記ガス状の流体流れは、それぞれの装置の前記プロセス・チャンバ（８）を通って流れる間に、硬化されていない粒子状の構築材料、特に、前記装置の動作の間に発生するスモーク又はスモーク残留物で充満され得る、流れ発生デバイス（９）。
【発明の詳細な説明】
【技術分野】
【０００１】
本発明は、エネルギー・ビームによって硬化させることができる粉状の構築材料の層を連続的に層ごとに選択的に照射及び硬化することによって、３次元物体を付加的に製造するための装置であって、プロセス・チャンバ及び流れ発生デバイスを含み、流れ発生デバイスは、プロセス・チャンバを通って少なくとも部分的に流れるガス状の流体流れを発生させるように構成されており、ガス状の流体流れは、プロセス・チャンバを通って流れる間に、硬化されていない粒子状の構築材料、特に、装置の動作の間に発生するスモーク又はスモーク残留物で充満され得る、装置に関する。
【背景技術】
【０００２】
３次元物体を付加的に製造するためのそれぞれの装置は、幅広く知られており、たとえば、選択的レーザ焼結装置、選択的レーザ溶融装置、又は選択的電子ビーム溶融装置として具現化され得る。
【０００３】
それぞれの付加的に製造するための装置の動作の間に、粉末床から構築材料粒子を上昇させることなく（それは、製造されることとなる物体の品質に関して決定的な要因である）、硬化されていない粒子状の構築材料、特に、装置の動作の間に発生するスモーク又はスモーク残留物を効率的に除去することは挑戦的である可能性がある。換言すれば、プロセス・チャンバを通って流れる間に、一方では、プロセス・チャンバから硬化されていない構築材料粒子を効率的に除去し、他方では、粉末床から構築材料粒子を上昇させることを回避する、ガス状の流体流れを発生させるように、それぞれの装置の流れ発生デバイスは構成されるべきである。これは、特に、高いパワーのエネルギー・ビーム、たとえば、２００Ｗを超えるパワーを有するエネルギー・ビームを実装する付加的に製造するための装置に当てはまる。
【０００４】
しかし、公知の流れ発生デバイスは、特に、高いパワーのエネルギー・ビームが粉状の構築材料を照射及び硬化させるように実装されるときに、完全に満足のいくように上述の課題を達成しない場合がある。
【発明の概要】
【発明が解決しようとする課題】
【０００５】
上記を考慮して、本発明の目的は、ガス状の流体流れを発生させることを可能にする、改善された流れ発生デバイスを有する３次元物体を付加的に製造するための装置を提供することであり、ガス状の流体流れは、プロセス・チャンバを通って流れる間に、一方では、プロセス・チャンバから硬化されていない構築材料粒子を効率的に除去し、他方では、粉末床から構築材料粒子を上昇させることを回避する。
【課題を解決するための手段】
【０００６】
この目的は、請求項１による３次元物体を付加的に製造するための装置によって実現される。請求項１に従属する請求項は、請求項１による装置の可能性のある実施形態に関する。
【０００７】
本明細書で説明されている装置は、エネルギー・ビームによって硬化させることができる粉状の構築材料（「構築材料」）の層を連続的に層ごとに選択的に照射及び硬化することによって、３次元物体、たとえば、技術的なコンポーネントを付加的に製造するための装置である。それぞれの構築材料は、金属、セラミック、又はポリマー粉末であることが可能である。それぞれのエネルギー・ビームは、レーザ・ビーム又は電子ビームであることが可能である。それぞれの装置は、たとえば、選択的レーザ焼結装置、選択的レーザ溶融装置、又は選択的電子ビーム溶融装置であることが可能である。
【０００８】
装置は、その動作の間に使用される複数の機能的ユニットを含む。例示的な機能的ユニットは、プロセス・チャンバ、照射デバイス、及び流れ発生デバイスであり、照射デバイスは、少なくとも１つのエネルギー・ビームによって、プロセス・チャンバの中に配設されている構築材料層を選択的に照射するように構成されており、流れ発生デバイスは、所与の流れ特性、たとえば、所与の流れプロファイル、流速などを有する、少なくとも部分的にプロセス・チャンバを通って流れるガス状の流体流れを発生させるように構成されている。ガス状の流体流れは、プロセス・チャンバを通って流れる間に、硬化されていない粒子状の構築材料、特に、装置の動作の間に発生するスモーク又はスモーク残留物で充満され得る。ガス状の流体流れは、典型的には不活性であり、すなわち、典型的には、たとえばアルゴン、窒素、二酸化炭素などの、不活性ガスの流れである。
【０００９】
先行技術から公知の流れ発生デバイスと比較して、本明細書で説明されている付加的に製造するための装置の流れ発生デバイスは、少なくとも２つの別々の流れ発生ユニットを含み、それぞれが、それぞれのガス状の流体流れを発生させるように構成されている。複数の流れ発生ユニットを含むことによって、流れ発生デバイスは、プロセス・チャンバを通って流れる間に、一方では、完全に満足のいくように、プロセス・チャンバから硬化されていない構築材料粒子を効率的に除去し、他方では、粉末床から構築材料粒子を上昇させることを回避する、ガス状の流体流れを発生させる上述の課題を達成する。単に単一の流れ発生ユニットを使用する公知の流れ発生デバイスと比較して、少なくとも２つの流れ発生ユニットを使用する流れ発生デバイスの強化可能な又は強化されたパワー・スペクトルから結果として生じる、高いパワーのエネルギー・ビーム、たとえば、２００Ｗよりも大きいパワーを有するエネルギー・ビームを実装するときでも、複数の流れ発生ユニットを設けることは、流れ発生デバイスによって発生するガス状の流体流れが、プロセス・チャンバから硬化されていない構築材料粒子を効率的に除去し、粉末床から構築材料粒子を上昇させることを回避することを確実にする。
【００１０】
結果として、ガス状の流体流れを発生させることを可能にする、改善された流れ発生デバイスを有する３次元物体を付加的に製造するための装置であって、ガス状の流体流れは、プロセス・チャンバを通って流れる間に、一方では、プロセス・チャンバから硬化されていない構築材料粒子を効率的に除去し、他方では、粉末床から構築材料粒子を上昇させることを回避する、装置が提供される。
【００１１】
少なくとも２つの流れ発生ユニットは、同じ出力パワーを有することが可能である。したがって、少なくとも２つの流れ発生ユニットは、同じ流れ特性のガス状の流体流れを発生させるように構成され得る。特に、少なくとも２つの流れ発生ユニットは、同一のものであることが可能であり、すなわち、それぞれ、同じモデル又はタイプのものであることが可能である。同一の又は少なくとも類似の流れ発生ユニットを使用することによって、流れ発生デバイスの制御可能性及び動作安定性を強化することが可能である。
【００１２】
少なくとも２つの流れ発生ユニットは、典型的には並列に配設されている。したがって、少なくとも２つの流れ発生ユニットは、並列に動作させることができる。少なくとも２つの流れ発生ユニットの並列の動作は、流れ発生デバイスによって発生するか又は発生させることができるガス状の流体流れの流れ特性、特に、最大パワーを改善する。
【００１３】
少なくとも２つの流れ発生ユニット、すなわち、流れ発生ユニット・ガス入口部は、プロセス・チャンバから延在する流れ通路構造体の中に配設され得、それぞれの流れ通路構造体に連通する。特に、流れ通路構造体は、プロセス・チャンバ、すなわち、プロセス・チャンバ・ガス出口部と、硬化されていない粒子状の構築材料、特に、装置の動作の間に発生するスモーク又はスモーク残留物を、ガス状の流体流れから濾過するように構成されているフィルタリング・デバイス（それは、装置の一部を形成することが可能である）と、プロセス・チャンバ・ガス入口部との間に延在することが可能である。流れ通路構造体は、導管、ダクト、パイプ、チューブなどのような、少なくとも１つの流れ通路要素を含むことが可能であり、ガス状の流体流れが、それを通って流れることが可能である。
【００１４】
流れ通路構造体は、分岐セクションを含むことが可能であり、分岐セクションは、流れ通路構造体を少なくとも２つの流れ通路分岐部（サブ通路）に分岐する。それによって、第１の流れ発生ユニットは、第１の流れ通路分岐部（第１のサブ通路）の中に配設されており、第２の又はさらなる流れ発生ユニットは、第２の又はさらなる流れ通路分岐部（第２の又はさらなるサブ通路）の中に配設されている。流れ通路分岐部のそれぞれは、バルブ・デバイスを設けられ得、バルブ・デバイスは、それぞれの流れ通路分岐部を個別に開閉させることを可能にする。流れ発生ユニットを冗長に設けることによって、及び、それぞれの流れ発生ユニットを別々の流れ通路分岐部に接続することによって、流れ発生デバイスのフェールセーフ（ｆａｉｌｕｒｅ−ｓａｆｅｔｙ）及び信頼性が改善される。特に、１つの流れ発生ユニットの故障のケースでは、ガス状の流体流れは、依然として、別の流れ発生ユニットによって発生させることができる。
【００１５】
装置は、少なくとも２つの流れ発生ユニットに関連付けられた制御ユニットを含むことが可能である。制御ユニットは、ハードウェア及び／又はソフトウェアで具現化され得、制御ユニットは、少なくとも２つの流れ発生ユニットのそれぞれの動作を、互いに独立して又は互いに依存して制御するように構成されている。したがって、少なくとも２つの流れ発生ユニットは、互いに独立して又は互いに依存して動作されるように構成されており、また、互いに独立して又は互いに依存して動作させることができる。結果的に、流れ発生デバイスによって発生するガス状の流体流れは、１つだけの流れ発生ユニットによって、又は、少なくとも２つの流れ発生ユニットによって、実際に発生させることができる。このようにして、流れ発生デバイスは、幅広い範囲の流れ特性、たとえば、流れプロファイル、流速などで、ガス状の流体流れを発生させることができる。特に、流れ発生デバイスによって発生するガス状の流体流れの流れ特性は、装置の多様な動作パラメータ、たとえば、エネルギー・ビームのパワーに容易に適合され得る。したがって、流れ発生デバイスは、異なるエネルギー・ビーム・パワーを使用して、複数の異なる装置の中で、すなわち、特に、複数の装置１の中で実装されるように標準化され得る。
【００１６】
したがって、制御ユニットは、少なくとも２つの流れ発生ユニットの動作を制御し、所定の流れ特性のガス状の流体流れを発生させるように構成され得、それによって、少なくとも２つの流れ発生ユニットのそれぞれの動作は、少なくとも２つの流れ発生ユニットが所定の流れ特性のガス状の流体流れを発生させるように協働して作用するように制御される。したがって、少なくとも２つの流れ発生ユニットのそれぞれの動作は、少なくとも２つの流れ発生ユニットのパワー出力の総計が所定の流れ特性のガス状の流体流れを提供するように制御され得る。２つの別々の流れ発生ユニットの例示的なケースに関して、ガス状の流体流れの効果的なパワーは、１つだけの流れ発生ユニットを動作させるときに（２つの流れ発生ユニットの動作から生じるときに）、半分にされ得、また、両方の流れ発生ユニットを動作させるときに（１つだけの流れ発生ユニットの動作から生じるときに）、２倍にされ得る。当然のことながら、これは、同様に、３つ以上の別々の流れ発生ユニットを有するすべての流れ発生デバイスに当てはまる。
【００１７】
そのうえ、制御ユニットは、同期させて少なくとも２つの流れ発生ユニットの動作を制御するように構成され得る。同期させて少なくとも２つの流れ発生ユニットを動作させることは、ガス状の流体流れの最適化された発生をもたらす。その理由は、流れ発生ユニットの流体流れ発生能力が、相乗的に使用され得るからである。
【００１８】
少なくとも２つの流れ発生ユニットのそれぞれは、ポンピング・デバイス、特に、吸い込みポンピング・デバイス、又はガス圧縮デバイス、特に、ガス圧縮機であることが可能である。同様に、少なくとも２つの流れ発生ユニットのそれぞれは、少なくとも１つのそれぞれのポンピング・デバイス又は少なくとも１つのそれぞれのガス圧縮デバイスを含むことが可能である。上述の実施形態のそれぞれは、所望の流れ特性のガス状の流体流れを発生させることができる。
【００１９】
また、装置に加えて、本発明は、それぞれの装置のための流れ発生デバイスに関する。流れ発生デバイスは、少なくとも２つの別々の流れ発生ユニットを含み、それぞれが、ガス状の流体流れを発生させるように構成されており、ガス状の流体流れは、それぞれの装置のプロセス・チャンバを通って流れる間に、硬化されていない粒子状の構築材料、特に、装置の動作の間に発生するスモーク又はスモーク残留物で充満され得る。装置に関するすべての注釈は、同様に流れ発生デバイスに当てはまる。
【００２０】
本発明の例示的な実施形態は、図を参照して説明されている。
【図面の簡単な説明】
【００２１】
【図１】例示的な実施形態による、３次元物体を付加的に製造するための装置の原理図である。
【発明を実施するための形態】
【００２２】
単独の図は、エネルギー・ビーム４、たとえば、レーザ・ビームによって硬化させることができる、粉状の構築材料３、たとえば、金属粉末の層の連続的な層ごとの選択的な照射及び付随する硬化によって、３次元物体２、たとえば技術的なコンポーネントを付加的に製造するための装置１の原理図面を示している。装置１は、たとえば、選択的レーザ溶融装置であることが可能である。
【００２３】
装置１は、その動作の間に使用される複数の機能的ユニットを有している。１つの例示的な機能的ユニットは、照射デバイス５、特にエネルギー・ビーム発生デバイス及び／又はエネルギー・ビーム偏向デバイス、たとえば、スキャニング・デバイスであり、それは、少なくとも１つのエネルギー・ビーム４によって構築材料層を選択的に照射するのに役立つ。別の例示的な機能的ユニットは、構築材料アプリケーション・デバイス６、特に、コーティング・デバイスであり、それは、たとえば、装置１のプロセス・チャンバ８の構築平面７の中に、構築材料３の層を適用するのに役立つ。別の例示的な機能的ユニットは、流れ発生デバイス９であり、流れ発生デバイス９は、ガス状の流体流れ（矢印１０によって示されている）を発生させるように構成されており、ガス状の流体流れは、プロセス・チャンバ８を通って流れ、すなわち、プロセス・チャンバ・ガス入口部１１とプロセス・チャンバ・ガス出口部１２との間に流れ、所与の流れ特性、たとえば、所与の流れプロファイル、流速などを有している。ガス状の流体流れは、プロセス・チャンバ８を通って流れる間に、硬化されていない粒子状の構築材料、特に、装置１の動作の間に発生するスモーク又はスモーク残留物で充満され得る。ガス状の流体流れは、不活性であり、すなわち、たとえばアルゴン、窒素、二酸化炭素などの、不活性ガスの流れである。
【００２４】
流れ発生デバイス９は、複数の、すなわち、例示的な実施形態では、２つの別々の流れ発生ユニット１３、１４を含み、それぞれが、それぞれのガス状の流体流れを発生させるように構成されている。複数の流れ発生ユニット１３、１４を含むことによって、流れ発生デバイス９は、ガス状の流体流れを発生させることを可能にし、ガス状の流体流れは、プロセス・チャンバ８を通って流れる間に、一方では、完全に満足のいくように、プロセス・チャンバ８から硬化されていない構築材料粒子を効率的に除去し、他方では、粉末床から構築材料粒子を上昇させることを回避する。単に単一の流れ発生ユニットを使用する公知の流れ発生デバイスと比較して、複数の流れ発生ユニット１３、１４を使用する流れ発生デバイス９の強化されたパワー・スペクトルから結果として生じる、高いパワーのエネルギー・ビーム、たとえば、２００Ｗよりも大きいパワーを有するエネルギー・ビームを実装するときでも、複数の流れ発生ユニット１３、１４を設けることは、ガス状の流体流れが、プロセス・チャンバ８から硬化されていない構築材料粒子を効率的に除去し、粉末床から構築材料粒子を上昇させることを回避することを確実にする。
【００２５】
流れ発生ユニット１３、１４のそれぞれは、ポンピング・デバイス、特に、吸い込みポンピング・デバイス、又はガス圧縮デバイス、特に、ガス圧縮機であることが可能である。
【００２６】
流れ発生ユニット１３、１４は、同じ出力パワーを有することが可能である。したがって、流れ発生ユニット１３、１４は、同じ流れ特性のガス状の流体流れを発生させるように構成され得る。２つの流れ発生ユニット１３、１４は、同一のものであることが可能であり、すなわち、それぞれ、同じモデル又はタイプのものであることが可能である。
【００２７】
図から認識できるように、流れ発生ユニット１３、１４は、並列に配設されている。したがって、２つの流れ発生ユニット１３、１４は、並列に動作させることができる。
【００２８】
流れ発生ユニット１３、１４、すなわち、それぞれの流れ発生ユニット・ガス入口部１５、１６は、流れ通路構造体１７の中に配設されている。流れ通路構造体１７は、導管、ダクト、パイプ、チューブなどのような、複数の流れ通路要素（明示的には示されていない）を含み、ガス状の流体流れが、それを通って流れることが可能であり、また、プロセス・チャンバ８から、特に、それぞれプロセス・チャンバ８のプロセス・チャンバ・ガス出口部１２から延在することが可能である。図から明らかであるように、流れ通路構造体１７は、プロセス・チャンバ・ガス出口部１２とプロセス・チャンバ・ガス入口部１１との間に延在しており、ガス状の流体流れが循環して流れることができるようになっている。
【００２９】
また、図から明らかであるように、硬化されていない粒子状の構築材料、特に、装置１の動作の間に発生するスモーク又はスモーク残留物を、ガス状の流体流れから濾過するように構成されているフィルタリング・デバイス１８が、プロセス・チャンバ８のプロセス・ガス出口部１２と流れ発生デバイス９との間の流れ通路構造体１７の中に配設されている。
【００３０】
また、図から明らかであるように、流れ通路構造体１７は、分岐セクション１９を含み、分岐セクション１９は、流れ通路構造体１７を２つの流れ通路分岐部２０、２１（サブ通路）に分岐する。それによって、第１の流れ発生ユニット１３は、第１の流れ通路分岐部２０（第１のサブ通路）の中に配設されており、第２の流れ発生ユニット１４は、第２の流れ通路分岐部２１（第２のサブ通路）の中に配設されている。流れ通路分岐部２０、２１のそれぞれは、バルブ・デバイス２２、２３を設けられ得、バルブ・デバイス２２、２３は、それぞれの流れ通路分岐部２０、２１を個別に開閉させることを可能にする。
【００３１】
装置１は、流れ発生ユニット１３、１４に関連付けられた制御ユニット２４を含む。制御ユニット２４は、ハードウェア及び／又はソフトウェアで具現化され得、制御ユニット２４は、流れ発生ユニット１３、１４のそれぞれの動作を、互いに独立して又は互いに依存して制御するように構成されている。したがって、流れ発生ユニット１３、１４は、互いに独立して又は互いに依存して動作されるように構成されており、また、互いに独立して又は互いに依存して動作させることができる。結果的に、流れ発生デバイス９によって発生するガス状の流体流れは、１つだけの流れ発生ユニット１３、１４によって、又は、２つの流れ発生ユニット１３、１４によって、実際に発生させることができる。このようにして、流れ発生デバイス９は、幅広い範囲の流れ特性、たとえば、流れプロファイル、流速などで、ガス状の流体流れを発生させることができる。特に、流れ発生デバイス９によって発生するガス状の流体流れの流れ特性は、装置１の多様な動作パラメータ、たとえば、エネルギー・ビームのパワーに容易に適合され得る。したがって、流れ発生デバイス９は、複数の異なる装置１の中で実装されるように標準化され得る。
【００３２】
したがって、制御ユニット２４は、流れ発生ユニット１３、１４の動作を制御するように構成され得、所定の流れ特性のガス状の流体流れを発生させるようになっており、それによって、流れ発生ユニット１３、１４のそれぞれの動作は、流れ発生ユニット１３、１４が所定の流れ特性のガス状の流体流れを発生させるように協働して作用するように制御される。したがって、流れ発生ユニット１３、１４のそれぞれの動作は、流れ発生ユニット１３、１４のパワー出力の総計が所定の流れ特性のガス状の流体流れを提供するように制御され得る。図による例示的な実施形態に関して、ガス状の流体流れの効果的なパワーは、１つだけの流れ発生ユニット１３、１４を動作させるときに（２つの流れ発生ユニット１３、１４の動作から生じるときに）、半分にされ得、また、両方の流れ発生ユニット１３、１４を動作させるときに（１つだけの流れ発生ユニット１３、１４の動作から生じるときに）、２倍にされ得る。
【００３３】
制御ユニット２４は、同期させて流れ発生ユニット１３、１４の動作を制御するように構成され得る。同期させて流れ発生ユニット１３、１４を動作させることは、ガス状の流体流れの最適化された発生をもたらす。その理由は、流れ発生ユニット１３、１４の流体流れ発生能力が、相乗的に使用され得るからである。
【符号の説明】
【００３４】
１  装置
２  ３次元物体
３  構築材料
４  エネルギー・ビーム
５  照射デバイス
６  構築材料アプリケーション・デバイス
７  構築平面
８  プロセス・チャンバ
９  流れ発生デバイス
１０  矢印
１１  プロセス・チャンバ・ガス入口部
１２  プロセス・チャンバ・ガス出口部
１３  流れ発生ユニット
１４  流れ発生ユニット
１５  流れ発生ユニット・ガス入口部
１６  流れ発生ユニット・ガス入口部
１７  流れ通路構造体
１８  フィルタリング・デバイス
１９  分岐セクション
２０  流れ通路分岐部
２１  流れ通路分岐部
２２  バルブ・デバイス
２３  バルブ・デバイス
２４  制御ユニット
【図１】
2019025896.tif 000003